(57)【特許請求の範囲】
【請求項１】
洋式便器の臭気排出逆流封鎖装置であって、洋式便器水タンク中に取り付けられ、排気アセンブリ、逆流水封鎖アセンブリ、電子制御アセンブリにより組成され、
前記排気アセンブリは、前記便器の排水環状槽と前記水タンクの満水時の水位線よりも上方の部分との間に設けられたオーバーフロー管、頂部に進気口が形成されたｎ型排気カバー、前記ｎ型排気カバーの内部において前記進気口の下方に配置され、前記水タンク内の空気を前記進気口を通って前記ｎ型排気カバーの内部に吸入する排気モーター、前記排気モーターの下方から下方に延びる排気管、前記排気管の下端に接続して、前記水タンクの底部を通過して接続管を介して前記洋式便器のＳ字型下水排出管に接続するスリーブ管により組成され、
前記逆流水封鎖アセンブリは前記ｎ型排気カバー内に配置され、前記排気管が中心を貫通するＵ型貯水カップ、前記Ｕ型貯水カップと前記排気管の間において前記排気管の頂端の排気管口と空間を開けて配置されたｎ型逆流水封鎖カバー、前記排気管により組成され、
前記排気管の前記排気管口は、前記水位線よりも高く設定され、前記Ｕ字型貯水カップのカップ口は、前記水位線よりも低く設定され、
前記Ｕ型貯水カップの内面と前記ｎ型逆流水封鎖カバーの外面との間に、逆流水封鎖空間１）が形成され、
前記ｎ型逆流錐封鎖カバーの内面と前記排気管の外面との間に、逆流水封鎖空間２）が形成され、
前記ｎ型排気カバーの内面と前記Ｕ型貯水カップの外面との間に、進水キャビティが形成され、
前記電子制御アセンブリは、排泄時に起動される電源スイッチと、前記水位線の位置に設置される水位スイッチを含み、
前記電源スイッチが起動されると、前記排気モーターが駆動されて前記水タンクの気圧が低下し、これに伴い前記オーバーフロー管を通して前記便器内の気体が前記水タンクに進入し、さらに、前記進気口を通って前記ｎ型排気カバーの内部に進入し、さらに、前記逆流水封止空間１）と前記逆流水封止空間２）とを通って、前記排気管口から前記排気管に流入して排気される
ことを特徴とする、
洋式便器の臭気排出逆流封鎖装置。
【請求項２】
前記水タンク内の水が前記水位線に到達すると、前記水位スイッチは、前記排気モーターを導通し、
前記水タンク内の水が前記水位線より低いと、前記水位スイッチは、前記排気モーターの電源を切る
ことを特徴とする、
請求項１に記載の洋式便器の臭気排出逆流封鎖装置。
【請求項３】
前記逆流水封鎖アセンブリ上の前記逆流水封鎖空間１）と前記逆流水封鎖空間２）との間の底部には、空間を残し、相互に連通してＵ型貯水逆流水封鎖を形成し、
前記逆流水封鎖空間１）、前記逆流水封鎖空間２）、前記進水キャビティ、前記排気管の断面積は、基本的に等しく、
前記ｎ型排気カバーと、前記排気管と、前記Ｕ型貯水カップと、前記ｎ型逆流水封鎖カバーとは、前記Ｕ型貯水カップに設置されたサポートフレームを介して、気体と水の流動に影響しないように相互に支えている
ことを特徴とする、
請求項１に記載の洋式便器の臭気排出逆流封鎖装置。
【請求項４】
前記排気モーターによって生じる前記水タンク内の気圧は、前記洋式便器の前記Ｓ型汚水排出管封鎖高度の水圧より高く、
前記Ｕ型貯水カップの逆流水封鎖高度は、前記洋式便器の前記Ｓ型汚水排出管の逆流水封鎖高度より高い
ことを特徴とする、
請求項１に記載の洋式便器の臭気排出逆流封鎖装置。
【発明の詳細な説明】
【技術分野】
【０００１】
本発明は衛生用品に関し、洋式便器の臭気排出及び逆流水封鎖装置で、いかなる状況であろうと臭気が逆流しない機能が保証される洋式便器の臭気排出逆流封鎖装置に関する。
【背景技術】
【０００２】
近年、生活における衛生に対する要求が高まるに従い、各種スマート洋式便器が消費者に支持され、市場で人気に火がついている。
そのため、洋式便器の臭気排除機能もますます重要になっている。
臭気排除技術は様々あり、本発明者もかつて関連技術の特許を数件申請しているが、最近の研究開発過程において、ある装置が、臭気を吸い出し下水道へ排出する機能を備えるばかりか、逆流水を封鎖できる信頼性の高い機能を備えることが発見された。
その構造は簡単で、製造コストが低く、品質が高い。
【発明の概要】
【発明が解決しようとする課題】
【０００３】
前記先行技術には、構造が簡単で製造コストが低く品質が高いという目的を達成できていないという欠点がある。
【課題を解決するための手段】
【０００４】
本発明は構造が簡単で信頼性が高く、各項機能で洋式便器の水洗機能を満たせる洋式便器の臭気排出逆流封鎖装置で、洋式便器の臭気を洋式便器下水道に排出できるばかりか、いかなる状況にあっても下水道中のメタンガスのトイレへの逆流を確実に防止する機能を備える洋式便器の臭気排出逆流封鎖装置に関する。
【０００５】
本発明による洋式便器の臭気排出逆流封鎖装置は、洋式便器の水タンク中に取り付け、排気アセンブリ、逆流水封鎖アセンブリ、電子制御アセンブリにより組成される。
本装置は、強力な排気モーターを有し、起動すると電子制御アセンブリは排気モーターに給電し、排気モーターは便器中の気体を水タンクへと吸入し、排気モーターを通して排気圧力を高め、気圧はＵ型貯水逆流水封鎖中の水を押し出し、排気管に流入し、水と気体は、洋式便器Ｓ型汚水排出管から下水道へ排出される。
洋式便器が汚物を排出する時、電子制御アセンブリは電源を自動的に切り、排気モーターは作動を停止し、Ｕ型貯水逆流水封鎖は圧を失い、水タンク中の貯水は、進水キャビティを通して、迅速にＵ型貯水逆流水封鎖中に流入し、逆流水封鎖を生じ、即時に気体の回流を断ち、同時に、便器が汚物を排出する時のサイホン機能の発生を確保する。
【０００６】
本発明は、以下の技術方案を通して実現される。
本発明による洋式便器の臭気排出逆流封鎖装置は、排気アセンブリ、逆流水封鎖アセンブリ、電子制御アセンブリにより組成される。
本装置は洋式便器の水タンク中に取り付けられ、スリーブ管は水タンク底部を貫通し、連接管は、洋式便器Ｓ型汚水排出管に連通し、装置上の水位線と水タンク水位を同じ高さに調整し、電源に通じる。
排泄時には、電源スイッチを起動し、電子制御アセンブリを通して、排気モーターを起動する。
高速回転下で、排気モーターは、水タンク内の空気を排気モーターに吸入する。
この時、水タンク内に負圧が生じる。
そのため、洋式便器坐腔中の気体は、排水環状槽に沿って排水バルブ上のオーバーフロー管に進入し、水タンクに進入する。
排泄時の臭気も、気体流動に従い水タンクに進入する。
排気モーターの気圧が洋式便器Ｓ型湾曲逆流水封鎖高度の水圧より高いため、逆流水封鎖アセンブリ中の逆流水封鎖空間１）の水面は、逆流水封鎖空間１）中の水が、逆流水封鎖空間底部から逆流水封鎖空間２）へと押入れられ、溢れて排気管口を超え、洋式便器Ｓ型汚水排出管に流入するまで下方へと圧迫される。
この時、気圧の影響を受け、気体は進水キャビティ中の水を同時に下方へとＵ型貯水カップ底部まで圧迫する。
気圧のバランス作用により、逆流水封鎖空間１）中の気体は、逆流水封鎖空間底部の通路を通過し、逆流水封鎖空間２）へと流入し、気体は、逆流水封鎖空間２）に従い、上方へ向かい、排気管に流入し、進水キャビティ中の水面と逆流水封鎖空間底部の水面は平行となる。
ｎ型排気カバー口は、Ｕ型貯水カップ底部より低いため、気体は、ｎ型排気カバー底部から排出され、逆流水封鎖空間１）、逆流水封鎖空間２）を通してのみ、排気管に進入する。
排泄が終了し、洋式便器の排水を行う時に排水バルブを開くと、水タンクの水位は迅速に下落する。
この時、水面上の水位スイッチは、排気モーターの電源を切り、排気モーターは作動を停止し、逆流水封鎖空間１）、進水キャビティ中の気圧は直ちに消失する。
水タンク中の水位は依然として高位にあるため、水圧の作用下で、逆流水封鎖空間内の逆流水封鎖水面と水タンク水面が平行となるまで、水は、進水キャビティから逆流水封鎖空間１）、逆流水封鎖空間２）に進入し、Ｕ型貯水逆流水封鎖を形成する。
排水を継続し、水タンクの水位がＵ型貯水カップ口より低くなると、Ｕ型貯水カップ中の水はそれ以上の流出はせず、逆流水封鎖は設定された高度を保持し、洋式便器水洗時に、Ｓ型汚水排出管は十分なサイホン力を有し、汚物を吸って持ち出す機能が保証される。
【図面の簡単な説明】
【０００７】
【図１】本発明製品の洋式便器内での模式図である。
【図２】本発明製品の構造図である。
【図３】本発明の逆流水封鎖キャビティの俯視図である。
【図４】本発明の臭気排出作業の状態図である。
【図５】本発明の逆流水封鎖の回復状態図である。
【図６】本発明逆流水封鎖の状態図である。
【発明を実施するための形態】
【０００８】
（一実施形態）
図１に示す通り、本発明による洋式便器の臭気排出逆流封鎖装置は、洋式便器水タンク中に取り付けられ、排気アセンブリ、逆流水封鎖アセンブリ、電子制御アセンブリにより組成される。
スリーブ管４は水タンク底部を貫通し、連接管１７は、洋式便器Ｓ型汚水排出管に連通し、装置上の水位線８と水タンク水位を同じ高さに調整する。
電源スイッチ１８、電子プログラムコントローラー１９は、水タンク上に取り付けられ、電源２０に通じる。
【０００９】
図２、図３を用い、本発明製品の構造について、さらに説明する。
本発明による洋式便器の臭気排出逆流封鎖装置は、洋式便器水タンク中に取り付けられ、排気アセンブリ、逆流水封鎖アセンブリ、電子制御アセンブリにより組成される。
排気アセンブリは、ｎ型排気カバー１、排気モーター２、排気管３、スリーブ管４により組成される。
逆流水封鎖アセンブリは、Ｕ型貯水カップ５、ｎ型逆流水封鎖カバー６、排気管３により組成される。
電子制御アセンブリは、電源２０、電源スイッチ１８、電子プログラムコントローラー１９、水位スイッチ１０により組成される。
【００１０】
排気アセンブリは、ｎ型排気カバー１により、排気モーター２、逆流水封鎖アセンブリ上に嵌合され、排気モーター２は、逆流水封鎖アセンブリ上方のｎ型排気カバー１内の頂部に位置する。
排気モーター２とｎ型排気カバー１間隙には、導気キャビティを形成し、ｎ型排気カバー１頂部には、進気口７を開設する。
ｎ型排気カバー１は、逆流水封鎖アセンブリ全部を覆い、逆流水封鎖アセンブリより低いＵ型貯水カップ５底部から伸び出す。
ｎ型排気カバー１外殼上部には、水位線８を標示する。
水位線８は、Ｕ型貯水カップ５のカップ口より高く、排気管口９より低く設置され、水位線８位置には、水位スイッチ１０を設置する。
水平面が水位線８に到達すると、水位スイッチ１０は、排気モーター２を導通する。
水平面が水位線８より低いと、水位スイッチ１０は、排気モーター２の電源２０を切る。
【００１１】
逆流水封鎖アセンブリは、排気管３を主体とし、排気管３は、Ｕ型貯水カップ５を貫通して一体を形成する。
排気管口９は、水位線８より高い。
ｎ型逆流水封鎖カバー６は、排気管３、Ｕ型貯水カップ５の間の空間中に形成される逆流水封鎖空間１）１１、逆流水封鎖空間２）１２に嵌合される。
逆流水封鎖空間１）１１と逆流水封鎖空間２）１２底部には、空間を残し、相互に連通してＵ型貯水逆流水封鎖を形成する。
ｎ型排気カバー１とＵ型貯水カップ５の間の空間には、進水キャビティ１３を形成する。
逆流水封鎖空間１）１１、逆流水封鎖空間２）１２、進水キャビティ１３、排気管３の断面積は、基本的に等しい。
逆流水封鎖空間１）１１、逆流水封鎖空間２）１２、進水キャビティ１３は連通してダブルｎ型空間を形成する。
ｎ型排気カバー１、排気管３、Ｕ型貯水カップ５、ｎ型逆流水封鎖カバー６は、サポートフレーム１４を有し、相互に支え、しかも気体、水の流動に影響しない。
【００１２】
電子制御アセンブリは、導線を用いて、電源２０、電源スイッチ１８、電子プログラムコントローラー１９、水位スイッチ１０を、一個の電子回路中にそれぞれ並列接続する。
【００１３】
図１、図４を用いて、本発明について、さらに説明する。
排泄時には、電源スイッチ１８を起動し、電子制御アセンブリを通して、排気モーター２を起動する。
高速回転下で、排気モーター２は、水タンク内の空気を排気モーター２に吸入する。
この時、水タンク内には、負圧が生じる。
そのため、便器中の気体は、排水環状槽に沿って排水バルブ上のオーバーフロー管に進入し、水タンクに進入する。
排泄時の臭気も、気体流動に従い水タンクに進入する。
排気モーター２が生じる気圧は、洋式便器Ｓ型湾曲逆流水封鎖高度の水圧より大きいため、逆流水封鎖アセンブリ中の逆流水封鎖空間１）１１、進水キャビティ１３の水面は、逆流水封鎖空間１）１１中の水が、逆流水封鎖空間底部から逆流水封鎖空間２）１２へと押入れられ、溢れて排気管口９を超え、洋式便器Ｓ型汚水排出管に流入するまで下方へと圧迫される。
この時、気圧の影響を受け、気体は進水キャビティ１３中の水を同時に下方へとＵ型貯水カップ５底部まで圧迫する。
気圧のバランス作用により、逆流水封鎖空間１）１１中の気体は、逆流水封鎖空間底部の通路を通過し、逆流水封鎖空間２）１２へと流入し、気体は、逆流水封鎖空間２）１２に従い、上方へ向かい、排気管３に流入し、進水キャビティ１３中の逆流水封鎖水面１５と逆流水封鎖空間底部の水面は平行となる。
ｎ型排気カバー１口は、Ｕ型貯水カップ５底部より低いため、気体は、ｎ型排気カバー１底部から排出される。
【００１４】
図５を用いて、本発明についてさらに説明する。
排泄が終了し、洋式便器の排水を行う時に排水バルブを開くと、水タンクの水位は迅速に下落する。
この時、水面上の水位スイッチ１０は、排気モーター２の電源２０を切り、排気モーター２は作動を停止し、逆流水封鎖空間１）１１、進水キャビティ１３中の気圧は直ちに消失する。
水タンク中の水位は依然として高位にあるため、水圧の作用下で、水は、逆流水封鎖空間内の逆流水封鎖水面１５と水タンク水面１６が平行となるまで、進水キャビティ１３から逆流水封鎖空間１）１１、逆流水封鎖空間２）１２に進入し、Ｕ型貯水逆流水封鎖を形成する。
【００１５】
図６を用いて、本発明についてさらに説明する。
排水を継続し、水タンクの水位が低下し、進水キャビティ１３中の水は、水タンク水面１６に従い、Ｕ型貯水カップ５口に低下後、Ｕ型貯水カップ５中の水はそれ以上の流出はせず、Ｕ型貯水カップ５中の水面は、設定された逆流水封鎖水面１５の高度を保持し、洋式便器水洗時に、Ｓ型汚水排出管は十分なサイホン力を有し、汚物を吸って持ち出す機能を保証される。
【００１６】
前述した本発明の実施形態は本発明を限定するものではなく、よって、本発明により保護される範囲は後述される特許請求の範囲を基準とする。
【符号の説明】
【００１７】
１  ｎ型排気カバー
２  排気モーター
３  排気管
４  スリーブ管
５  Ｕ型貯水カップ
６  ｎ型逆流水封鎖カバー
７  進気口
８  水位線
９  排気管口
１０  水位スイッチ
１１  逆流水封鎖空間１）
１２  逆流水封鎖空間２）
１３  進水キャビティ
１４  サポートフレーム
１５  逆流水封鎖水面
１６  水タンク水面
１７  連接管
１８  電源スイッチ
１９  電子プログラムコントローラー
２０  電源
【図１】
0006853885.tif 000002
【図２】
0006853885.tif 000003
【図３】
0006853885.tif 000004
【図４】
0006853885.tif 000005
【図５】
0006853885.tif 000006
【図６】
0006853885.tif 000007